(57)【特許請求の範囲】
【請求項１】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークにおいて、
前記Ｅ−ＬＳＰの設定要求に応じて前記Ｏ−ＬＳＰの経路を経路コスト、リソース消費、トラヒック量を含む経路情報を考慮して自動的に設定する手段を備え、
前記設定する手段は、
前記Ｅ−ＬＳＰの設定を要求するノードに設けられ前記Ｏ−ＬＳＰの経路を計算して当該計算結果に基づくパス設定要求を送出する手段と、
前記Ｏ−ＬＳＰの発側のノードに設けられ当該パス設定要求を受け取った後に当該パス設定要求に含まれる前記計算結果に基づく経路設定の可否を判断して設定可であれば前記計算結果に基づき経路を設定し設定不可であれば改めて経路を計算して当該Ｏ−ＬＳＰの経路を設定する手段と
を備えたことを特徴とするマルチレイヤ光ネットワーク。
【請求項２】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークにおいて、
前記Ｅ−ＬＳＰの設定要求に応じて前記Ｏ−ＬＳＰの経路を経路コスト、リソース消費、トラヒック量を含む経路情報を考慮して自動的に設定する手段を備え、
前記設定する手段は、
前記Ｅ−ＬＳＰの設定を要求するノードに設けられ、複数のＯ−ＬＳＰの設定が可能なノードに順に前記Ｏ−ＬＳＰのパス設定要求を送出する手段と、
前記Ｏ−ＬＳＰの設定が可能なノードに設けられ当該パス設定要求に基づき当該Ｏ−ＬＳＰの経路計算を行い当該Ｏ−ＬＳＰの設定可否を判断してその結果を前記パス設定要求を送出する手段に通知するとともに設定可能な場合は当該Ｏ−ＬＳＰを設定する手段と
を備え、
前記パス設定要求を送出する手段は、設定不可の通知があった場合に、次に前記パス設定要求を要求するＯ−ＬＳＰの設定が可能なノードとして自ノードからのホップ数あるいはリンクの総コストの最も小さいノードから順に選択してパス設定要求を送出する手段を備えた
ことを特徴とするマルチレイヤ光ネットワーク。
【請求項３】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークにおいて、
前記Ｅ−ＬＳＰの設定要求に応じて前記Ｏ−ＬＳＰの経路を経路コスト、リソース消費、トラヒック量を含む経路情報を考慮して自動的に設定する手段を備え、
前記設定する手段は、
前記Ｅ−ＬＳＰの設定を要求するノードに設けられ前記Ｏ−ＬＳＰのパス設定要求を送出する手段と、
前記Ｏ−ＬＳＰの設定が可能なノードに設けられ当該パス設定要求に基づき当該Ｏ−ＬＳＰの経路計算を行い当該Ｏ−ＬＳＰの設定可否を判断してその結果を前記パス設定要求を送出する手段に通知する手段と
を備え、
前記パス設定要求を送出する手段は、複数のノードからの前記通知する手段による設定可能通知が複数到着した場合には、当該設定可能通知を送出したノードの中から当該設定可能通知が最も早く到着したノードもしくは自ノードからのホップ数あるいはリンクの総コストが最も小さいノードに対して実際にＯ−ＬＳＰの設定を要求する手段を備えた
ことを特徴とするマルチレイヤ光ネットワーク。
【請求項４】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるノードにおいて、
前記Ｅ−ＬＳＰの設定要求に応じて前記Ｏ−ＬＳＰの経路を経路コスト、リソース消費、トラヒック量を含む経路情報を考慮して自動的に設定する手段を備え、
前記設定する手段は、前記Ｅ−ＬＳＰの設定を要求するノードに設けられ前記Ｏ−ＬＳＰの経路を計算して当該計算結果に基づくパス設定要求を送出する手段と、前記Ｏ−ＬＳＰの発側のノードに設けられ当該パス設定要求を受け取った後に当該パス設定要求に含まれる前記計算結果に基づく経路設定の可否を判断して設定可であれば前記計算結果に基づき経路を設定し設定不可であれば改めて経路を計算して当該Ｏ−ＬＳＰの経路を設定する手段とを備えた
ことを特徴とするノード。
【請求項５】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるノードにおいて、
前記Ｅ−ＬＳＰの設定要求に応じて前記Ｏ−ＬＳＰの経路を経路コスト、リソース消費、トラヒック量を含む経路情報を考慮して自動的に設定する手段を備え、
前記設定する手段は、
前記Ｅ−ＬＳＰの設定を要求するノードに設けられ、複数のＯ−ＬＳＰの設定が可能なノードに順に前記Ｏ−ＬＳＰのパス設定要求を送出する手段と、
前記Ｏ−ＬＳＰの設定が可能なノードに設けられ当該パス設定要求に基づき当該Ｏ−ＬＳＰの経路計算を行い当該Ｏ−ＬＳＰの設定可否を判断してその結果を前記パス設定要求を送出する手段に通知するとともに設定可能な場合は当該Ｏ−ＬＳＰを設定する手段と
を備え、
前記パス設定要求を送出する手段は、設定不可の通知があった場合に、次に前記パス設定要求を要求するＯ−ＬＳＰの設定が可能なノードとして自ノードからのホップ数あるいはリンクの総コストの最も小さいノードを選択して順にパス設定要求を送出する手段を備えた
ことを特徴とするノード。
【請求項６】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるノードにおいて、
前記Ｅ−ＬＳＰの設定要求に応じて前記Ｏ−ＬＳＰの経路を経路コスト、リソース消費、トラヒック量を含む経路情報を考慮して自動的に設定する手段を備え、
前記設定する手段は、前記Ｅ−ＬＳＰの設定を要求するノードに設けられ前記Ｏ−ＬＳＰのパス設定要求を送出する手段と、前記Ｏ−ＬＳＰの設定が可能なノードに設けられ当該パス設定要求に基づき当該Ｏ−ＬＳＰの経路計算を行い当該Ｏ−ＬＳＰの設定可否を判断してその結果を前記パス設定要求を送出する手段に通知する手段とを備え、前記パス設定要求を送出する手段は、複数のノードからの前記通知する手段による設定可能通知が複数到着した場合には、当該設定可能通知を送出したノードの中から当該設定可能通知が最も早く到着したノードもしくは自ノードからのホップ数あるいはリンクの総コストが最も小さいノードに対して実際にＯ−ＬＳＰの設定を要求する手段を備えた
ことを特徴とするノード。
【請求項７】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるパス設定方法において、
前記Ｅ−ＬＳＰの設定要求に応じて前記Ｏ−ＬＳＰの経路を経路コスト、リソース消費、トラヒック量を含む経路情報を考慮して自動的に設定する手順を含み、
前記自動的に設定する手順は、
前記Ｅ−ＬＳＰの設定を要求するノードで前記Ｏ−ＬＳＰの経路を計算して当該計算結果に基づくパス設定要求を送出し、
前記Ｏ−ＬＳＰの発側のノードで当該パス設定要求を受け取った後に当該パス設定要求に含まれる前記計算結果に基づく経路設定の可否を判断し設定可であれば前記計算結果に基づき経路を設定し設定不可であれば改めて経路を計算して当該Ｏ−ＬＳＰの経路を設定する
ことを特徴とするパス設定方法。
【請求項８】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるパス設定方法において、
前記Ｅ−ＬＳＰの設定要求に応じて前記Ｏ−ＬＳＰの経路を経路コスト、リソース消費、トラヒック量を含む経路情報を考慮して自動的に設定する手順を含み、
前記自動的に設定する手順は、
前記Ｅ−ＬＳＰの設定を要求するノードから複数のＯ−ＬＳＰの設定が可能なノードに順に前記Ｏ−ＬＳＰのパス設定要求を送出し、
前記Ｏ−ＬＳＰの設定が可能なノードで当該パス設定要求に基づき当該Ｏ−ＬＳＰの経路計算を行い当該Ｏ−ＬＳＰの設定可否を判断してその結果を前記パス設定要求を送出したノードに通知するとともに設定可能な場合は当該Ｏ−ＬＳＰを設定し、
当該ノードが設定不可の通知を受け取った、次にＯ−ＬＳＰの設定が可能なノードとして自ノードからのホップ数あるいはリンクの総コストの最も小さいノードから順に選択してパス設定要求を送出する
ことを特徴とするパス設定方法。
【請求項９】
パケット単位のスイッチおよび転送を行う複数のサブネットワークと、このサブネットワーク間を接続する光伝送路と、この光伝送路を終端するノードとを備え、
前記光伝送路および前記ノードにより構成される光波長リンクの両端に光波長単位のスイッチが可能な光波長スイッチングケーパビリティ（ＬＳＣ）およびパケット単位のスイッチが可能なパケットスイッチングケーパビリティ（ＰＳＣ）がそれぞれ設けられ、
両端にＬＳＣを備えた光波長リンク（Ｏ−ＬＳＰと記す）と、このＯ−ＬＳＰを含み両端にＰＳＣを備えたパケットリンク（Ｅ−ＬＳＰと記す）との２階層構造を持つマルチレイヤ光ネットワークに適用されるパス設定方法において、
前記Ｅ−ＬＳＰの設定要求に応じて前記Ｏ−ＬＳＰの経路を経路コスト、リソース消費、トラヒック量を含む経路情報を考慮して自動的に設定する手順を含み、
前記自動的に設定する手順は、
前記Ｅ−ＬＳＰの設定を要求するノードから前記Ｏ−ＬＳＰのパス設定要求を送出し、
前記Ｏ−ＬＳＰの設定が可能なノードで当該パス設定要求に基づき当該Ｏ−ＬＳＰの経路計算を行い当該Ｏ−ＬＳＰの設定可否を判断してその結果を前記パス設定要求を送出したノードに通知し、当該ノードが複数のノードから設定可能通知を複数受け取った場合には、当該設定可能通知を送出したノードの中から当該設定可能通知が最も早く到着したノードもしくは自ノードからのホップ数あるいはリンクの総コストが最も小さいノードに対して実際にＯ−ＬＳＰの設定を要求する
ことを特徴とするパス設定方法。
【発明の詳細な説明】
【０００１】
【発明の属する技術分野】
本発明は、光波長による光パスとそれを用いた電気パスのマルチ階層構成の光ネットワークにおけるパス設定技術に関する。
【０００２】
【従来の技術】
パケット単位のスイッチおよび転送を行う複数のサブネットワークと、このサブネットワーク間を接続する光伝送路と、この光伝送路を終端するノードとを備えた光ネットワークが知られている。
【０００３】
このような光ネットワークでは、光伝送路およびノードにより構成される光波長リンクの両端に、光波長単位のスイッチが可能な光波長スイッチングケーパビリティ（ＬＳＣは記す）およびパケット単位のスイッチが可能なパケットスイッチングケーパビリティ（ＰＳＣと記す）がそれぞれ設けられている。さらに、両端にＬＳＣを備えた光波長リンク（Ｏ−ＬＳＰと記す）は、両端にＰＳＣを備えたパケットリンク（Ｅ−ＬＳＰと記す）に含まれる。
【０００４】
このような光ネットワークは、Ｏ−ＬＳＰとＥ−ＬＳＰとの２階層構造を有するので、マルチレイヤ光ネットワークと呼ばれる。このようなマルチレイヤ光ネットワークでは、パケットのＩＰ転送を行う際に、途中の経路ではＯ−ＬＳＰにより光信号パケットとして転送されるため、全経路を電気信号パケットとして転送される場合と比較して伝送速度や多重数を大きくできるなどの光伝送路が有する多数の有益な効果を得ることができる。
【０００５】
【発明が解決しようとする課題】
従来のマルチレイヤ光ネットワークでは、Ｏ−ＬＳＰとＥ−ＬＳＰとは独立に運営され、Ｅ−ＬＳＰの需要やトラヒック変動などでＯ−ＬＳＰを自由に変更することはできない。
【０００６】
すなわち、Ｏ−ＬＳＰは専用線などにより固定的であったため、パケットトラヒックの変動に即応できない、あるいは、Ｏ−ＬＳＰのリソースを有効に活用できないといった問題がある。さらにＯ−ＬＳＰを変更する場合は、光ネットワーク運営事業者に申請し、光ネットワーク運営事業者が人手によりＯ−ＬＳＰを切り替え、設定する必要があるなどの問題がある。
【０００７】
本発明は、このような背景に行われたものであって、Ｏ−ＬＳＰおよびＥ−ＬＳＰを各ノードが最適な経路を計算して自動的に設定することにり、効率的な運用を図ることができるマルチレイヤ光ネットワークおよびノードおよびプログラムおよび記録媒体およびパス設定方法を提供することを目的とする。
【０００８】
【課題を解決するための手段】
本発明は、Ｏ−ＬＳＰを含むＥ−ＬＳＰのノードにより、Ｏ−ＬＳＰの経路設定を制御することを特徴とする。これにより、Ｅ−ＬＳＰのノードのトラヒック状況に応じてＯ−ＬＳＰの経路設定を臨機応変に行うことができるので、効率的なマルチレイヤ光ネットワーク運営を実現することができる。
【０００９】
すなわち、本発明の第一の観点は、パケット単位のスイッチおよび転送を行う複数のサブネットワークと、このサブネットワーク間を接続する光伝送路と、この光伝送路を終端するノードとを備え、前記光伝送路および前記ノードにより構成される光波長リンクの両端に光波長単位のスイッチが可能なＬＳＣおよびパケット単位のスイッチが可能なＰＳＣがそれぞれ設けられ、両端にＬＳＣを備えたＯ−ＬＳＰと、このＯ−ＬＳＰを含み両端にＰＳＣを備えたＥ−ＬＳＰとの２階層構造を持つマルチレイヤ光ネットワークである。
【００１０】
ここで、本発明の特徴とするところは、前記Ｅ−ＬＳＰの設定要求に応じて前記Ｏ−ＬＳＰの経路を経路コスト、リソース消費、トラヒック量を含む経路情報を考慮して自動的に設定する手段を備えたところにある。
【００１１】
また、本発明の第二の観点は、本発明のマルチレイヤ光ネットワークに適用されるノードであって、前記Ｅ−ＬＳＰの設定要求に応じて前記Ｏ−ＬＳＰの経路を経路コスト、リソース消費、トラヒック量を含む経路情報を考慮して自動的に設定する手段を備えたことを特徴とするノードである。
【００１２】
このように、本発明のマルチレイヤ光ネットワークでは、発生したトラヒックを契機として経路コスト、リソース消費、トラヒック量を含む経路情報を考慮して必要なパスを設定できるので、効率的なネットワーク運用を行うことができる。
【００１３】
前記設定する手段は、前記Ｅ−ＬＳＰの設定を要求するノードに設けられ前記Ｏ−ＬＳＰの経路を計算する手段と、前記Ｏ−ＬＳＰの発側のノードに設けられ当該計算する手段の計算結果に基づき当該Ｏ−ＬＳＰの経路を設定する手段とを備えることが望ましい。
【００１４】
これにより、Ｏ−ＬＳＰの経路設定をＥ−ＬＳＰの設定を要求するノードが併せて行うことができる。したがって、Ｅ−ＬＳＰを利用するユーザは、そこに含まれるＯ−ＬＳＰの経路設定までも要求に応じて行うことができるため、ユーザの利便性を向上させることができるとともに、ネットワーク運営者は、Ｏ−ＬＳＰの経路設定を自ら行う必要がなく、さらに、Ｅ−ＬＳＰのトラヒック状況に応じた最適なＯ−ＬＳＰ経路設定がなされることにより、Ｏ−ＬＳＰ経路設定の手間が省かれる上に、効率のよいマルチレイヤ光ネットワーク運営を行うことができる。
【００１５】
あるいは、前記設定する手段は、前記Ｅ−ＬＳＰの設定を要求するノードに設けられ前記Ｏ−ＬＳＰの経路を計算して当該計算結果に基づくパス設定要求を送出する手段と、前記Ｏ−ＬＳＰの発側のノードに設けられ当該パス設定要求を受け取った後に当該パス設定要求に含まれる前記計算結果に基づく経路設定の可否を判断して設定可であれば前記計算結果に基づき経路を設定し設定不可であれば改めて経路を計算して当該Ｏ−ＬＳＰの経路を設定する手段とを備えることもできる。
【００１６】
これによれば、Ｏ−ＬＳＰの経路が頻繁に更新される状況下で、Ｅ−ＬＳＰの設定を要求するノードがＯ−ＬＳＰの経路を計算してパス設定要求を送出した時刻と、このパス設定要求がＯ−ＬＳＰの発側のノードに到着して当該発側のノードがＯ−ＬＳＰの経路を実際に設定する時刻との間に時間差があり、その間に、Ｏ−ＬＳＰのトラヒック状況が変化してしまうような場合にも対応することができる。
【００１７】
あるいは、前記設定する手段は、前記Ｅ−ＬＳＰの設定を要求するノードに設けられ前記Ｏ−ＬＳＰのパス設定要求を送出する手段と、前記Ｏ−ＬＳＰの設定が可能なノードに設けられ当該パス設定要求に基づき当該Ｏ−ＬＳＰの経路計算を行い当該Ｏ−ＬＳＰの設定可否を判断してその結果を前記パス設定要求を送出する手段に通知するとともに設定可能な場合は当該Ｏ−ＬＳＰを設定する手段とを備えることもできる。
【００１８】
これによれば、Ｅ−ＬＳＰの設定を要求するノードは、Ｏ−ＬＳＰの経路計算を行わず、また、Ｏ−ＬＳＰの経路の設定も行わないこととし、Ｏ−ＬＳＰの経路計算は、Ｏ−ＬＳＰの設定が可能なノードに委ねる。これにより、Ｅ−ＬＳＰの設定を要求するノードの負荷が軽減される。ただし、Ｅ−ＬＳＰの設定を要求するノードは、Ｏ−ＬＳＰの設定が可能なノードにＯ−ＬＳＰのパス設定要求を行うことができ、その際に、Ｅ−ＬＳＰの設定を要求するノードは、自ノードにとって最も都合の良いＯ−ＬＳＰの設定が可能なノードを選択することができる。これにより、高い確率で経路および光波長を確保することができる。
【００１９】
例えば、前記パス設定要求を送出する手段は、前記Ｏ−ＬＳＰの設定が可能なノードとして自ノードからのホップ数あるいはリンクの総コストの最も小さいノードを選択してパス設定要求を送出する手段を備える。
【００２０】
あるいは、前記設定する手段は、前記Ｅ−ＬＳＰの設定を要求するノードに設けられ前記Ｏ−ＬＳＰのパス設定要求を送出する手段と、前記Ｏ−ＬＳＰの設定が可能なノードに設けられ当該パス設定要求に基づき当該Ｏ−ＬＳＰの経路計算を行い当該Ｏ−ＬＳＰの設定可否を判断してその結果を前記パス設定要求を送出する手段に通知する手段とを備え、前記パス設定要求を送出する手段は、複数のノードからの前記通知する手段による設定可能通知が複数到着した場合には、当該設定可能通知を送出したノードの中から当該設定可能通知が最も早く到着したノードもしくは自ノードからのホップ数あるいはリンクの総コストが最も小さいノードに対して実際にＯ−ＬＳＰの設定を要求する手段を備えることもできる。
【００２１】
これによれば、Ｅ−ＬＳＰの設定を要求するノードは、Ｏ−ＬＳＰの経路計算を行わず、また、Ｏ−ＬＳＰの経路の設定も行わないこととし、Ｏ−ＬＳＰの経路計算は、Ｏ−ＬＳＰの設定が可能なノードに委ねる。これにより、Ｅ−ＬＳＰの設定を要求するノードの負荷が軽減される。ただし、Ｅ−ＬＳＰの設定を要求するノードは、複数のＯ−ＬＳＰの設定が可能なノードにＯ−ＬＳＰのパス設定要求を行うことができ、その際に、Ｅ−ＬＳＰの設定を要求するノードは、複数のＯ−ＬＳＰの設定が可能なノードからの設定可能通知の中から自ノードにとって最も都合の良いＯ−ＬＳＰの設定が可能なノードを選択することができる。当該最も都合の良いＯ−ＬＳＰの設定が可能なノードとは、例えば、当該設定可能通知が最も早く到着したノードもしくは自ノードからのホップ数あるいはリンクの総コストが最も小さいノードである。これにより、高い確率で経路および光波長を確保することができる。
【００２２】
本発明の第三の観点は、情報処理装置にインストールすることにより、その情報処理装置に、本発明のマルチレイヤ光ネットワークに適用されるノードに相応する機能を実現させるプログラムである。
【００２３】
ここで、本発明の特徴とするところは、前記Ｅ−ＬＳＰの設定要求に応じて前記Ｏ−ＬＳＰの経路を経路コスト、リソース消費、トラヒック量を含む経路情報を考慮して自動的に設定する機能を実現させるところにある。
【００２４】
前記設定する機能として、前記Ｅ−ＬＳＰの設定を要求するノードに設けられ前記Ｏ−ＬＳＰの経路を計算する機能と、前記Ｏ−ＬＳＰの発側のノードに設けられ当該計算する機能の計算結果に基づき当該Ｏ−ＬＳＰの経路を設定する機能とを実現させることが望ましい。
【００２５】
あるいは、前記設定する機能として、前記Ｅ−ＬＳＰの設定を要求するノードに設けられ前記Ｏ−ＬＳＰの経路を計算して当該計算結果に基づくパス設定要求を送出する機能と、前記Ｏ−ＬＳＰの発側のノードに設けられ当該パス設定要求を受け取った後に当該パス設定要求に含まれる前記計算結果に基づく経路設定の可否を判断し設定可であれば前記計算結果に基づき経路を設定し設定不可であれば改めて経路を計算して当該Ｏ−ＬＳＰの経路を設定する機能とを実現させることもできる。
【００２６】
あるいは、前記設定する機能として、前記Ｅ−ＬＳＰの設定を要求するノードに設けられ前記Ｏ−ＬＳＰのパス設定要求を送出する機能と、前記Ｏ−ＬＳＰの設定が可能なノードに設けられ当該パス設定要求に基づき当該Ｏ−ＬＳＰの経路計算を行い当該Ｏ−ＬＳＰの設定可否を判断してその結果を前記パス設定要求を送出する手段に通知するとともに設定可能な場合は当該Ｏ−ＬＳＰを設定する機能とを実現させることもできる。
【００２７】
この際には、例えば、前記パス設定要求を送出する機能として、前記Ｏ−ＬＳＰの設定が可能なノードとして自ノードからのホップ数あるいはリンクの総コストの最も小さいノードを選択してパス設定要求を送出する機能を実現させることが望ましい。
【００２８】
あるいは、前記設定する機能として、前記Ｅ−ＬＳＰの設定を要求するノードに設けられ前記Ｏ−ＬＳＰのパス設定要求を送出する機能と、前記Ｏ−ＬＳＰの設定が可能なノードに設けられ当該パス設定要求に基づき当該Ｏ−ＬＳＰの経路計算を行い当該Ｏ−ＬＳＰの設定可否を判断してその結果を前記パス設定要求を送出する手段に通知する機能とを実現させ、前記パス設定要求を送出する機能として、複数のノードからの前記通知する機能による設定可能通知が複数到着した場合には、当該設定可能通知を送出したノードの中から当該設定可能通知が最も早く到着したノードもしくは自ノードからのホップ数あるいはリンクの総コストが最も小さいノードに対して実際にＯ−ＬＳＰの設定を要求する機能を実現させることもできる。
【００２９】
本発明の第四の観点は、本発明のプログラムが記録された前記情報処理装置読取可能な記録媒体である。本発明のプログラムは本発明の記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００３０】
これにより、コンピュータ装置等の情報処理装置を用いて、Ｏ−ＬＳＰおよびＥ−ＬＳＰを各ノードが最適な経路を計算して自動的に設定することにより、効率的な運用を図ることができるマルチレイヤ光ネットワークおよびノードを実現することができる。
【００３１】
本発明の第五の観点は、本発明のマルチレイヤ光ネットワークに適用されるパス設定方法であって、本発明の特徴とするところは、前記Ｅ−ＬＳＰの設定要求に応じて前記Ｏ−ＬＳＰの経路を経路コスト、リソース消費、トラヒック量を含む経路情報を考慮して自動的に設定するところにある。
【００３２】
前記Ｅ−ＬＳＰの設定を要求するノードで前記Ｏ−ＬＳＰの経路を計算し、前記Ｏ−ＬＳＰの発側のノードで当該計算結果に基づき当該Ｏ−ＬＳＰの経路を設定することが望ましい。
【００３３】
あるいは、前記Ｅ−ＬＳＰの設定を要求するノードで前記Ｏ−ＬＳＰの経路を計算して当該計算結果に基づくパス設定要求を送出し、前記Ｏ−ＬＳＰの発側のノードで当該パス設定要求を受け取った後に当該パス設定要求に含まれる前記計算結果に基づく経路設定の可否を判断し設定可であれば前記計算結果に基づき経路を設定し設定不可であれば改めて経路を計算して当該Ｏ−ＬＳＰの経路を設定することもできる。
【００３４】
あるいは、前記Ｅ−ＬＳＰの設定を要求するノードから前記Ｏ−ＬＳＰのパス設定要求を送出し、前記Ｏ−ＬＳＰの設定が可能なノードで当該パス設定要求に基づき当該Ｏ−ＬＳＰの経路計算を行い当該Ｏ−ＬＳＰの設定可否を判断してその結果を前記パス設定要求を送出したノードに通知するとともに設定可能な場合は当該Ｏ−ＬＳＰを設定することもできる。
【００３５】
この際には、例えば、前記Ｏ−ＬＳＰの設定が可能なノードとして自ノードからのホップ数あるいはリンクの総コストの最も小さいノードを選択してパス設定要求を送出することが望ましい。
【００３６】
あるいは、前記Ｅ−ＬＳＰの設定を要求するノードから前記Ｏ−ＬＳＰのパス設定要求を送出し、前記Ｏ−ＬＳＰの設定が可能なノードで当該パス設定要求に基づき当該Ｏ−ＬＳＰの経路計算を行い当該Ｏ−ＬＳＰの設定可否を判断してその結果を前記パス設定要求を送出したノードに通知し、当該ノードが複数のノードから設定可能通知を複数受け取った場合には、当該設定可能通知を送出したノードの中から当該設定可能通知が最も早く到着したノードもしくは自ノードからのホップ数あるいはリンクの総コストが最も小さいノードに対して実際にＯ−ＬＳＰの設定を要求することもできる。
【００３７】
【発明の実施の形態】
本発明実施例のマルチレイヤ光ネットワークを図１を参照して説明する。図１は本実施例のマルチレイヤ光ネットワークの全体構成図である。
【００３８】
本実施例は、図１に示すように、パケット単位のスイッチおよび転送を行う複数のサブネットワーク９〜１１と、このサブネットワーク９〜１１間を接続するＯ−ＬＳＰである光パスＯＰ１〜ＯＰ３と、この光パスＯＰ１〜ＯＰ３を終端するノード１〜３とを備え、光パスＯＰ１〜ＯＰ３およびノード１〜３により構成される光波長リンクの両端に光波長単位のスイッチが可能なＬＳＣであるノード１〜３の他に、パケット単位のスイッチが可能なＰＳＣを有するノードとしてのボーダルータ４〜８がそれぞれ設けられ、このように、両端にノード１〜３を備えたＯ−ＬＳＰである光パスＯＰ１〜ＯＰ３と、この光パスＯＰ１〜ＯＰ３を含み両端にボーダルータ４〜８を備えたＥ−ＬＳＰである電気パスＥＰ１〜ＥＰ３との２階層構造を持つマルチレイヤ光ネットワークである。
【００３９】
ここで、本実施例の特徴とするところは、ボーダルータ４〜８の電気パスＥＰ１〜ＥＰ３の設定要求に応じてノード１〜３が光パスＯＰ１〜ＯＰ３の経路を経路コスト、リソース消費、トラヒック量を含む経路情報を考慮して自動的に設定するところにある。
【００４０】
このように、本実施例のマルチレイヤ光ネットワークでは、発生したトラヒックを契機として経路コスト、リソース消費、トラヒック量を含む経路情報を考慮して必要なパスを設定できるので、効率的なネットワーク運用を行うことができる。
【００４１】
第一実施例では、ボーダルータ４〜８が光パスＯＰ１〜ＯＰ３の経路を計算し、ノード１〜３は、当該計算結果に基づき光パスＯＰ１〜ＯＰ３の経路を設定する。
【００４２】
これにより、光パスＯＰ１〜ＯＰ３の経路設定をボーダルータ４〜８が併せて行うことができる。したがって、ボーダルータ４〜８を利用するユーザは、そこに含まれる光パスＯＰ１〜ＯＰ３の経路設定までも要求に応じて行うことができるため、ユーザの利便性を向上させることができるととにも、ネットワーク運営者は、光パスＯＰ１〜ＯＰ３の経路設定を自ら行う必要がなく、さらに、電気パスＥＰ１〜ＥＰ３のトラヒック状況に応じた最適な光パスＯＰ１〜ＯＰ３の経路設定がなされることにより、光パスＯＰ１〜ＯＰ３の経路設定の手間が省かれる上に、効率のよいマルチレイヤ光ネットワーク運営を行うことができる。
【００４３】
第二実施例では、ボーダルータ４〜８が光パスＯＰ１〜ＯＰ３の経路を計算して当該計算結果に基づくパス設定要求を送出し、ノード１〜３は、当該パス設定要求を受け取った後に当該パス設定要求に含まれる前記計算結果に基づく経路設定の可否を判断して設定可であれば前記計算結果に基づき経路を設定し設定不可であれば改めて経路を計算して光パスＯＰ１〜ＯＰ３の経路を設定する。
【００４４】
これによれば、光パスＯＰ１〜ＯＰ３の経路が頻繁に更新される状況下で、ボーダルータ４〜８が光パスＯＰ１〜ＯＰ３の経路を計算してパス設定要求を送出した時刻と、このパス設定要求がノード１〜３に到着してノード１〜３が光パスＯＰ１〜ＯＰ３の経路を実際に設定する時刻との間に時間差があり、その間に、光パスＯＰ１〜ＯＰ３のトラヒック状況が変化してしまうような場合にも対応することができる。
【００４５】
第三実施例では、ボーダルータ４〜８が光パスＯＰ１〜ＯＰ３のパス設定要求を送出し、ノード１〜３は、当該パス設定要求に基づき光パスＯＰ１〜ＯＰ３の経路計算を行い光パスＯＰ１〜ＯＰ３の設定可否を判断してその結果をボーダルータ４〜８に通知するとともに設定可能な場合は当該Ｏ−ＬＳＰを設定する。
【００４６】
このときに、ボーダルータ４〜８が光パスＯＰ１〜ＯＰ３の設定が可能なノード１〜３として自ボーダルータからのホップ数あるいはリンクの総コストの最も小さいノードｉ（ｉは１〜３のいずれか）を選択してパス設定要求を送出する。
【００４７】
これによれば、ボーダルータ４〜８は、ＯＰ１〜ＯＰ３の経路計算を行わず、また、経路の設定も行わないこととし、ＯＰ１〜ＯＰ３の経路計算は、ノード１〜３に委ねる。これにより、ボーダルータ４〜８の負荷が軽減される。ただし、ボーダルータ４〜８は、ノード１〜３に光パスＯＰ１〜ＯＰ３のパス設定要求を行うことができ、その際に、ボーダルータ４〜８は、自ボーダルータにとって最も都合の良いノードｉを選択することができる。これにより、高い確率で経路および光波長を確保することができる。
【００４８】
第四実施例では、ボーダルータ４〜８は、光パスＯＰ１〜ＯＰ３のパス設定要求を送出し、ノード１〜３は、当該パス設定要求に基づき光パスＯＰ１〜ＯＰ３の経路計算を行い光パスＯＰ１〜ＯＰ３の設定可否を判断してその結果をボーダルータ４〜８に通知し、ボーダルータ４〜８は、複数のノード１〜３からの設定可能通知が複数到着した場合には、当該設定可能通知を送出したノード１〜３の中から当該設定可能通知が最も早く到着したノードｉもしくは自ボーダルータからのホップ数あるいはリンクの総コストが最も小さいノードｉに対して実際に光パスＯＰｉの設定を要求する。
【００４９】
これによれば、ボーダルータ４〜８は、光パスＯＰ１〜ＯＰ３の経路計算を行わず、また、経路の設定も行わないこととし、光パスＯＰ１〜ＯＰ３の経路計算は、ノード１〜３に委ねる。これにより、ボーダルータ４〜８の負荷が軽減される。ただし、ボーダルータ４〜８は、複数のノード１〜３に光パスＯＰ１〜ＯＰ３のパス設定要求を行うことができ、その際に、ボーダルータ４〜８は、複数のノード１〜３からの設定可能通知の中から自ボーダルータにとって最も都合の良いノードｉを選択することができる。当該最も都合の良いノードｉとは、例えば、当該設定可能通知が最も早く到着したノードｉもしくは自ボーダルータからのホップ数あるいはリンクの総コストが最も小さいノードｉである。これにより、高い確率で経路および光波長を確保することができる。
【００５０】
本実施例のノード１〜３およびボーダルータ４〜８は、情報処理装置であるコンピュータ装置を用いて実現することができる。すなわち、コンピュータ装置にインストールすることにより、そのコンピュータ装置に、本実施例のマルチレイヤ光ネットワークに適用されるノード１〜３およびボーダルータ４〜８に相応する機能を実現させるプログラムであって、電気パスＥＰ１〜ＥＰ３の設定要求に応じて光パスＯＰ１〜ＯＰ３の経路を経路コスト、リソース消費、トラヒック量を含む経路情報を考慮して自動的に設定する機能を実現させるプログラムをコンピュータ装置にインストールすることにより、そのコンピュータ装置を本実施例のノード１〜３およびボーダルータ４〜８に相応する装置とすることができる。
【００５１】
前記設定する機能として、ボーダルータ４〜８に設けられ光パスＯＰ１〜ＯＰ３の経路を計算する機能と、ノード１〜３に設けられ当該計算する機能の計算結果に基づき光パスＯＰ１〜ＯＰ３の経路を設定する機能とを実現させるプログラムをコンピュータ装置にインストールすることにより、そのコンピュータ装置を第一実施例のノード１〜３およびボーダルータ４〜８に相応する装置とすることができる。
【００５２】
あるいは、前記設定する機能として、ボーダルータ４〜８に設けられ光パスＯＰ１〜ＯＰ３の経路を計算して当該計算結果に基づくパス設定要求を送出する機能と、ノード１〜３に設けられ当該パス設定要求を受け取った後に当該パス設定要求に含まれる前記計算結果に基づく経路設定の可否を判断し設定可であれば前記計算結果に基づき経路を設定し設定不可であれば改めて経路を計算して光パスＯＰ１〜ＯＰ３の経路を設定する機能とを実現させるプログラムをコンピュータ装置にインストールすることにより、そのコントロール装置を第二実施例のノード１〜３およびボーダルータ４〜８に相応する装置とすることができる。
【００５３】
あるいは、前記設定する機能として、ボーダルータ４〜８に設けられ光パスＯＰ１〜ＯＰ３のパス設定要求を送出する機能と、ノード１〜３に設けられ当該パス設定要求に基づき光パスＯＰ１〜ＯＰ３の経路計算を行い光パスＯＰ１〜ＯＰ３の設定可否を判断してその結果をボーダルータ４〜８に通知するとともに設定可能な場合は光パスＯＰ１〜ＯＰ３を設定する機能とを実現させ、さらに、前記パス設定要求を送出する機能として、ノード１〜３として自ボーダルータからのホップ数あるいはリンクの総コストの最も小さいノードｉを選択してパス設定要求を送出する機能を実現させるプログラムをコンピュータ装置にインストールすることにより、そのコンピュータ装置を第三実施例のノード１〜３および４〜８に相応する装置とすることができる。
【００５４】
あるいは、前記設定する機能として、ボーダルータ４〜８に設けられ光パスＯＰ１〜ＯＰ３のパス設定要求を送出する機能と、ノード１〜３に設けられ当該パス設定要求に基づき光パスＯＰ１〜ＯＰ３の経路計算を行い光パスＯＰ１〜ＯＰ３の設定可否を判断してその結果をボーダルータ４〜８に通知する機能とを実現させ、前記パス設定要求を送出する機能として、複数のノード１〜３からの前記通知する機能による設定可能通知が複数到着した場合には、当該設定可能通知を送出したノード１〜３の中から当該設定可能通知が最も早く到着したノードｉもしくは自ボーダルータからのホップ数あるいはリンクの総コストが最も小さいノードｉに対して実際に光パスＯＰｉの設定を要求する機能を実現させるプログラムをコンピュータ装置にインストールすることにより、そのコンピュータ装置を第四実施例のノード１〜３およびボーダルータ４〜８に相応する装置とすることができる。
【００５５】
本実施例のプログラムは本実施例の記録媒体に記録されることにより、コンピュータ装置は、この記録媒体を用いて本実施例のプログラムをインストールすることができる。あるいは、本実施例のプログラムを保持するサーバからネットワークを介して直接コンピュータ装置に本実施例のプログラムをインストールすることもできる。
【００５６】
これにより、コンピュータ装置を用いて、Ｏ−ＬＳＰおよびＥ−ＬＳＰを各ノード１〜３およびボーダルータ４〜８が最適な経路を計算して自動的に設定することにより、効率的な運用を図ることができるマルチレイヤ光ネットワークおよびノードを実現することができる。
【００５７】
以下では、本実施例をさらに詳細に説明する。なお、以下では、説明をわかりやすくするために、図１に示したマルチレイヤ光ネットワークの一部分を取り出した形式により説明を行う。
【００５８】
本発明実施例のマルチレイヤ光ネットワークの構成を図１を参照して説明する。１、２、３はマルチレイヤ光ネットワークのノード、４、５、６、７、８はサブネットワークのボーダルータ、ＯＰ１、ＯＰ２、ＯＰ３は光パス（Ｏ−ＬＳＰ）、ＥＰ１、ＥＰ２、ＥＰ３は電気パス（Ｅ−ＬＳＰ）、９、１０、１１はサブネットワークである。ボーダルータ４とボーダルータ５は光パスＯＰ１を用いた電気パスＥＰ１が設定されている。またボーダルータ６とボーダルータ７とは光パスＯＰ２を用いた電気パスＥＰ２が設定されている。
【００５９】
いま、新たにボーダルータ８とボーダルータ７との間で交流トラヒックが発生した場合に、ボーダルータ８は、ノード１に対してボーダルータ７とのＥ−ＬＳＰの設定を要求する。ノード１では、ノード３との間のＯ−ＬＳＰがないため、ノード２を経由してボーダルータ７とＥ−ＬＳＰを設定することもできるし、直接ノード３との間で新規に光パスＯＰ３を設定して、電気パスＥＰ３を設定することもできる。いずれの設定が最適かは、ノード１の判断によることになる。
【００６０】
（第一実施例）
第一実施例を図２を参照して説明する。図２は第一実施例のＯ−ＬＳＰ設定手順を説明するための図である。１２、１３、１４は、それぞれＰＳＣとＬＳＣの双方を持ち、Ｏ−ＬＳＰを終端することができるノード、Ｒ１はＯ−ＬＳＰ経路指定信号、ＯＰ４はＯ−ＬＳＰである。いまノード１２がＥ−ＬＳＰの経路計算の結果、ノード１３を経由してノード１４を用いたＥ−ＬＳＰを設定することにした場合に、ノード１２はノード１３に対して、ノード１２とノード１４との間の光パスＯＰ４を使用するように指示した信号Ｒ１を送信し、ノード１３は光パスＯＰ４を使用してＥ−ＬＳＰの設定を行う。
【００６１】
（第二実施例）
第二実施例を図３を参照して説明する。図３は第二実施例のＯ−ＬＳＰの設定手順を説明するための図である。Ｒ２は、Ｏ−ＬＳＰ設定指示信号である。いまノード１２がＥ−ＬＳＰの経路計算の結果、ノード１３を経由してＥ−ＬＳＰを設定することにした場合に、ノード１２はノード１３に対して、ノード１２とノード１４との間の光パスＯＰ４を設定するように指定した信号Ｒ２を送信する。ノード１３では、改めて経路計算を行い、最適と思われるノード１４との間に光パスＯＰ４を設定する。
【００６２】
（第三実施例）
第三実施例を図４を参照して説明する。図４は第三実施例のＯ−ＬＳＰの設定手順を説明するための図である。１５は、他のノードと同様にＰＳＣとＬＳＣの双方を持ち、Ｏ−ＬＳＰを終端することができるノード、Ｒ３は、Ｏ−ＬＳＰ設定要求信号、Ａ３はＯ−ＬＳＰ設定可否通知信号である。
【００６３】
ノード１２は、Ｅ−ＬＳＰを構成するために経路計算し、Ｏ−ＬＳＰの設定能力があるノード１３に対して次のノードとのＯ−ＬＳＰの設定を要求する信号Ｒ３を送信する。ノード１３では、信号Ｒ３に基づき、Ｏ−ＬＳＰの設定が可能かを調べ、可能であればＯ−ＬＳＰを設定して、ノード１２に設定可を示す内容を含む信号Ａ３を返すが、信号Ｒ３で指定されたＯ−ＬＳＰの設定が不可であれば、設定不可を示す内容を含む信号Ａ３を返す。ノード１２では、帰ってきた信号を見て、もし、ノード１３からの信号Ａ３が設定不可を示す信号であれば、再度、経路計算を行い、ノード１４に対して、Ｏ−ＬＳＰの設定を要求する信号Ｒ３を送信する。もしノード１４からＯ−ＬＳＰ設定不可の信号が返ってきたら、次にノード１５にＯ−ＬＳＰ設定要求信号を送信する。ノード１２はＥ−ＬＳＰの経路が構成できるまで、この動作を繰り返す。なおノード１２がＯ−ＬＳＰ設定要求を送信する相手ノードの順番は、Ｅ−ＬＳＰの経路計算の結果、Ｏ−ＬＳＰを設定する場合のホップ数の小さい順に、また総コストの小さい順に行う。
【００６４】
（第四実施例）
第四実施例を図５を参照して説明する。図５は第四実施例のＯ−ＬＳＰ設定手順を説明するための図である。Ｒ４１、Ｒ４２、Ｒ４３はＯ−ＬＳＰ経路計算要求信号、Ａ４１、Ａ４２、Ａ４３はＯ−ＬＳＰ経路計算結果信号である。ノード１２は、Ｅ−ＬＳＰを構成するに当たって、取り敢えずＯ−ＬＳＰの設定能力のある全てのノードに対して、Ｏ−ＬＳＰ経路計算要求信号を同時に送信する。
【００６５】
Ｏ−ＬＳＰ経路計算要求信号を受信したノードは、それぞれＯ−ＬＳＰの経路計算を行い、その結果をＯ−ＬＳＰ経路計算結果信号に載せてノード１２に返信する。ノード１２では、返ってきたＯ−ＬＳＰ経路計算結果信号のうち、Ｏ−ＬＳＰ設定可の内容を返したノードの中から、最も早くＯ−ＬＳＰ経路計算結果信号が返ってきたノード、または最もコストが小さいと計算したノード、または最もホップ数が小さいと計算したノードのいずれかの結果を採用して、そのノードに対してＯ−ＬＳＰ設定指示を行う。
【００６６】
【発明の効果】
以上説明したように、本発明によれば、Ｏ−ＬＳＰおよびＥ−ＬＳＰを各ノードが最適な経路を計算して自動的に設定することにより、効率的な運用を図ることができる。
【図面の簡単な説明】
【図１】本実施例のマルチレイヤ光ネットワークの全体構成図。
【図２】第一実施例のＯ−ＬＳＰ設定手順を説明するための図。
【図３】第二実施例のＯ−ＬＳＰ設定手順を説明するための図。
【図４】第三実施例のＯ−ＬＳＰ設定手順を説明するための図。
【図５】第四実施例のＯ−ＬＳＰ設定手順を説明するための図。
【符号の説明】
１〜３、１２〜１５  ノード
４〜８  ボーダルータ
９〜１１  サブネットワーク
ＯＰ１〜ＯＰ４  光パス（Ｏ−ＬＳＰ）
ＥＰ１〜ＥＰ３  電気パス（Ｅ−ＬＳＰ）
Ｒ１〜Ｒ３  Ｏ−ＬＳＰ経路指示信号
Ａ３  Ｏ−ＬＳＰ設定可否通知信号
Ｒ４１〜Ｒ４３  Ｏ−ＬＳＰ経路計算要求信号
Ａ４１〜Ａ４３  Ｏ−ＬＳＰ経路計算結果信号
【図１】
0003777140.tif 000002
【図２】
0003777140.tif 000003
【図３】
0003777140.tif 000004
【図４】
0003777140.tif 000005
【図５】
0003777140.tif 000006